(57)【特許請求の範囲】
【請求項１】
複数種類の光ディスクの再生または記録動作が可能な光ディスク装置において、
光ピックアップ部がレーザ光を光ディスクに照射しその反射光を受光して出力する信号から生成される当該光ディスクの光学特性データを取得するデータ取得部と、
光ディスクの種類ごとに、再生または記録動作が正常に行われた回数を動作回数として数える動作履歴管理部と、
異なる種類の光ディスクが取り得る光学特性データの一部が互いに重複する重複部に、前記動作履歴管理部が数えた当該異なる種類の光ディスクの動作回数の比率に応じて重み付けした値を、光ディスクの種類を判別するための閾値として設定する閾値設定部と、
前記データ取得部が取得した前記光ディスクの光学特性データを前記閾値設定部が設定した閾値と比較して前記光ディスクの種類を判別するディスク判別部とを備えることを特徴とする光ディスク装置。
【請求項２】
複数種類の光ディスクの再生または記録動作が可能な光ディスク装置において、
光ピックアップ部がレーザ光を光ディスクに照射しその反射光を受光して出力する信号から生成される当該光ディスクの光学特性データを取得するデータ取得部と、
光ディスクの種類ごとに、再生または記録動作が正常に行われた回数を動作回数として数える動作履歴管理部と、
前記データ取得部が取得した前記光ディスクの光学特性データに基づいて前記光ディスクの種類を判別する際、異なる種類の光ディスクが取り得る光学特性データの一部が互いに重複する重複部に前記光ディスクの光学特性データが該当する場合に、前記動作履歴管理部が数えた当該異なる種類の光ディスクのうちの動作回数が多い方の種類として判別するディスク判別部とを備え、
前記動作履歴管理部は、光ディスクの再生または記録動作が正常に行われ、かつ、当該光ディスクの光学特性データが前記重複部に該当する場合に、前記動作回数を１回と数えることを特徴とする光ディスク装置。
【請求項３】
前記動作履歴管理部は、光ディスクの再生または記録動作が正常に行われ、かつ、当該光ディスクの光学特性データが前記重複部に該当する場合に、前記動作回数を１回と数えることを特徴とする請求項１記載の光ディスク装置。
【発明の詳細な説明】
【技術分野】
【０００１】
この発明は、光学特性データに基づいて光ディスクの種類を判別する光ディスク装置に関するものである。
【背景技術】
【０００２】
光ディスクの種類が増加し多種多様な光ディスクが存在する中で、光ディスク装置には、光ディスクの種類を判別して正確にデータを読み出しまたは書き込みすることが要求される。
【０００３】
光ディスクの種類を判別する従来の方法として、ある種類の光ディスクであると仮定してフォーカスサーボ動作およびトラッキングサーボ動作を行い、正常にフォーカス位置およびトラック位置が検出できない場合には、別の種類の光ディスクと判断して仮定する光ディスクの種類を変えながら正常に位置検出できるまで試行する方法があった。しかしながら、この方法では、光ディスクを判別するために繰り返し試行をするため時間がかかるという不都合があった。
【０００４】
そこで、特許文献１では、フォーカスエラー信号に含まれるＳ字カーブの個数とその振幅値という光学特性データに対して閾値を設定し、光ディスクの種類を判別するディスク再生装置が開示されている。
【先行技術文献】
【特許文献】
【０００５】
【特許文献１】特開２０００−１４９３９２号公報
【発明の概要】
【発明が解決しようとする課題】
【０００６】
しかし、多種多様な光ディスクが存在する中では、異なる種類でありながら光学特性データが似通った光ディスクがあり、光ディスクの種類を間違えるという課題があった。
【０００７】
この発明は、上記のような課題を解決するためになされたもので、光ディスクの種類の判別精度を向上させた光ディスク装置を提供することを目的とする。
【課題を解決するための手段】
【０００８】
この発明に係る光ディスク装置は、光ピックアップ部がレーザ光を光ディスクに照射しその反射光を受光して出力する信号から生成される当該光ディスクの光学特性データを取得するデータ取得部と、光ディスクの種類ごとに、再生または記録動作が正常に行われた回数を動作回数として数える動作履歴管理部と、異なる種類の光ディスクが取り得る光学特性データの一部が互いに重複する重複部に、動作履歴管理部が数えた当該異なる種類の光ディスクの動作回数の比率に応じて重み付けした値を、光ディスクの種類を判別するための閾値として設定する閾値設定部と、データ取得部が取得した光ディスクの光学特性データを閾値設定部が設定した閾値と比較して光ディスクの種類を判別するディスク判別部とを備えるものである。
【０００９】
この発明に係る光ディスク装置は、光ピックアップ部がレーザ光を光ディスクに照射しその反射光を受光して出力する信号から生成される当該光ディスクの光学特性データを取得するデータ取得部と、光ディスクの種類ごとに、再生または記録動作が正常に行われた回数を動作回数として数える動作履歴管理部と、データ取得部が取得した光ディスクの光学特性データに基づいて光ディスクの種類を判別する際、異なる種類の光ディスクが取り得る光学特性データの一部が互いに重複する重複部に光ディスクの光学特性データが該当する場合に、動作履歴管理部が数えた当該異なる種類の光ディスクのうちの動作回数が多い方の種類として判別するディスク判別部とを備え、動作履歴管理部は、光ディスクの再生または記録動作が正常に行われ、かつ、当該光ディスクの光学特性データが重複部に該当する場合に、動作回数を１回と数えるものである。
【発明の効果】
【００１０】
この発明によれば、異なる種類の光ディスクが取り得る光学特性データの一部が互いに重複する重複部に動作回数の比率に応じて重み付けした値を閾値に用いて、光ディスクの種類を判別するようにしたので、光ディスクの光学特性データが判別を間違いやすい重複部にある場合でも判別精度を向上させた光ディスク装置を提供することができる。
【００１１】
この発明によれば、判別対象の光ディスクの光学特性データが、異なる種類の光ディスクが取り得る光学特性データの一部が互いに重複する重複部に該当する場合に、当該異なる種類の光ディスクのうちの正常に動作した回数が多い方の種類として判別されるようにしたので、光ディスクの光学特性データが判別を間違いやすい重複部にある場合でも判別精度を向上させた光ディスク装置を提供することができる。
【図面の簡単な説明】
【００１２】
【図１】この発明の実施の形態１に係る光ディスク装置の構成を示すブロック図である。
【図２】実施の形態１に係る光ディスク装置の起動に至るまでの処理を説明するフローチャートである。
【図３】図２のディスク判別処理（ステップＳＴ１）の詳細な動作を説明するフローチャートである。
【図４】光ディスクの種類と光学特性データの関係の一例を示す表である。
【図５】光ディスクの種類を判別する閾値を説明するグラフである。
【図６】光ディスクの種類と動作回数を記録した動作履歴情報の一例を示す表である。
【図７】この発明の実施の形態２に係る光ディスク装置の構成を示すブロック図である。
【図８】実施の形態２に係る光ディスク装置によるディスク判別処理（図２のステップＳＴ１）の詳細な動作を説明するフローチャートである。
【図９】光ディスクの種類と光学特性データ重複部の関係の一例を示す表である。
【図１０】光ディスクの種類を判別する閾値を説明するグラフである。
【発明を実施するための形態】
【００１３】
実施の形態１．
図１に示すように、光ディスク装置は、スピンドルモータ１と、光ピックアップ部２と、信号測定部３と、サーボ制御部４と、データ取得部５と、動作履歴管理部６と、閾値設定部７と、ディスク判別部８と、不揮発メモリ１０とから構成され、光ディスク１１の再生および記録のうちの少なくとも一方の動作を行う。
【００１４】
スピンドルモータ１は、光ディスク１１を回転させる。光ピックアップ部２は、レーザ光を光ディスク１１に照射して情報の読み取りまたは書き込みを行うと共に、光ディスク１１で反射したレーザ光を受光して信号出力する。信号測定部３は、光ピックアップ部２の出力信号を測定して、反射光量、トラッキングエラー、フォーカスエラーなどの情報を含む光学特性データを生成する。サーボ制御部４は、信号測定部３が測定した光学特性データに基づいて、スピンドルモータ１および光ピックアップ部２の駆動を制御し、光ディスク１１の再生または記録動作を実施する。
【００１５】
光ディスク１１は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ；登録商標／以下、記載を省略する。）など様々な種類があるが、種類によって記録面の反射率が異なったり、記録面に形成されたピットの大きさが異なったりする。そのため、サーボ制御部４が、光ディスク１１の種類に応じて光ピックアップ部２の制御方法を切り替える必要があり、起動時に光ディスク装置に実際に装填された光ディスク１１の種類を判別する必要がある。
【００１６】
本実施の形態１では、以下に説明する方法によって光ディスク１１の種類を判別する。
ＣＰＵ９は、プログラムを実行することにより、データ取得部５、動作履歴管理部６、閾値設定部７およびディスク判別部８の機能を実現する。データ取得部５は、信号測定部３が測定した光ディスク１１の光学特性データを取得する。動作履歴管理部６は、光ディスク１１の種類ごとに、再生または記録動作が正常にできた回数を数えて不揮発メモリ１０に記憶し、動作履歴情報として管理する。閾値設定部７は、動作履歴情報を使用して光ディスク１１の種類を判別するための閾値を設定する。ディスク判別部８は、データ取得部５が取得した光学特性データを閾値設定部７の設定した閾値と比較して、光ディスク１１の種類を判別し、判別結果をサーボ制御部４へ出力する。
【００１７】
先ず、図２に示すフローチャートを参照しながら、光ディスク装置の起動に至るまでの処理を説明する。以下の説明では、光ディスク装置がＣＤ、ＤＶＤ、ＢＤの３種類の光ディスク１１に対応しているものとするが、光ディスク１１の種類はこれらに限定されるものではない。
ＣＰＵ９は、先ず光ディスク１１の種類を判別する処理を実施する（ステップＳＴ１）。判別結果がＣＤである場合（ステップＳＴ２“ＹＥＳ”）、ディスク判別部８からサーボ制御部４へＣＤとして起動する指示を出力し、サーボ制御部４がＣＤ用の制御方法に切り替えて記録または再生動作を開始する（ステップＳＴ３）。判別結果がＤＶＤである場合（ステップＳＴ４“ＹＥＳ”）、ディスク判別部８からサーボ制御部４へＤＶＤとして起動する指示を出力し、サーボ制御部４がＤＶＤ用の制御方法に切り替えて記録または再生動作を開始する（ステップＳＴ５）。判別結果がＢＤである場合（ステップＳＴ２“ＮＯ”かつステップＳＴ４“ＮＯ”）、ディスク判別部８からサーボ制御部４へＢＤとして起動する指示を出力し、サーボ制御部４がＢＤ用の制御方法に切り替えて記録または再生動作を開始する（ステップＳＴ６）。
【００１８】
選択した制御方法によって記録または再生動作が正常に起動した場合（ステップＳＴ７“ＹＥＳ”）、動作履歴管理部６が該当する種類の光ディスク１１の動作回数を更新する（ステップＳＴ８）。一方、選択した制御方法によって記録または再生動作が正常に起動しなかった場合、ディスク判別部８は起動試行されていない種類（即ち、ステップＳＴ１の判別結果とは異なる種類）に変更し、ステップＳＴ２へ戻る。
【００１９】
図３は、図２に示すステップＳＴ１のディスク判別処理の詳細な動作を説明するフローチャートである。
ＣＰＵ９において先ずデータ取得部５が、現在装填されている光ディスク１１の光学特性データを信号測定部３から取得して閾値設定部７へ出力すると共に（ステップＳＴ１１）、動作履歴管理部６が不揮発メモリ１０から動作履歴情報を取得して閾値設定部７へ出力する（ステップＳＴ１２）。
【００２０】
ここで、図４の表および図５のグラフに、光ディスク１１の種類と光学特性データの関係の一例を示す。この光学特性データは、例えば光ディスク１１の反射光量などである。
光ディスク１１の光学特性のばらつき、および異なる種類の光ディスク１１における光学特性の類似性等の要因により、光学特性データの分布が重なり合う箇所が存在する。
例えば、ＣＤの光学特性データが取り得る下限値は０、上限値は１２０である。ＤＶＤの光学特性データが取り得る下限値は８０、上限値は２２０である。ＢＤの光学特性データが取り得る下限値は１８０、上限値は３２０である。その場合、ＣＤとＤＶＤの光学特性データが８０〜１２０の間で重複しているため、現在装填されている光ディスク１１の光学特性データが８０〜１２０の間にあるとＣＤかＤＶＤか判別を間違いやすい。同様に、ＤＶＤとＢＤの光学特性データが１８０〜２２０の間で重複しているため、現在装填されている光ディスク１１の光学特性データが１８０〜２２０の間にあるとＤＶＤかＢＤか判別を間違いやすい。
【００２１】
図６の表は、光ディスク１１の種類と正常に動作した回数を記録した動作履歴情報の一例である。ここでは、ＣＤの記録または再生回数が２０回、ＤＶＤの記録または再生回数が１０回、ＢＤの記録または再生回数が３０回とする。
【００２２】
続いて閾値設定部７が、図４に例示したような光ディスク１１の種類と光学特性データの関係、および図６に例示したような動作履歴情報に基づいて、光ディスク１１の種類判別のための閾値を決定する（ステップＳＴ１３）。図４に例示したような光ディスク１１の種類と光学特性データの関係は、予め閾値設定部７に与えられているものとする。
本実施の形態１では、閾値設定部７が、下記の式（１）によりＣＤとＤＶＤの光学特性データの一部が互いに重複する重複部の重複量を算出して、式（２）および（３）により動作回数の比率に応じて重み付けした値を算出し、この値を光学特性データ重複部に閾値として設定する。ＤＶＤとＢＤの閾値も同様にして設定する。
【００２３】
ＣＤ；ＤＶＤ光学特性データ重複量
＝ＣＤの光学特性データ上限値−ＤＶＤの光学特性データ下限値      （１）
ＣＤ；ＤＶＤ動作回数比率
＝ＣＤの動作回数／（ＣＤの動作回数＋ＤＶＤの動作回数）      （２）
ＣＤ；ＤＶＤ閾値
＝ＤＶＤの光学特性データ下限値＋ＣＤ；ＤＶＤ光学特性データ重複量×ＣＤ；ＤＶＤ動作回数比率      （３）
【００２４】
ＤＶＤ；ＢＤ光学特性データ重複量
＝ＤＶＤの光学特性データ上限値−ＢＤの光学特性データ下限値      （４）
ＤＶＤ；ＢＤ動作回数比率
＝ＤＶＤの動作回数／（ＤＶＤの動作回数＋ＢＤの動作回数）      （５）
ＤＶＤ；ＢＤ閾値
＝ＢＤの光学特性データ下限値＋ＤＶＤ；ＢＤ光学特性データ重複量×ＤＶＤ；ＢＤ動作回数比率      （６）
【００２５】
閾値設定部７は、上式（１）〜（３）により決定したＣＤ；ＤＶＤ閾値と、上式（４）〜（６）により決定したＤＶＤ；ＢＤ閾値を、ディスク判別部８へ通知する。光学特性データがＣＤ；ＤＶＤ閾値以下ならＣＤ、ＣＤ；ＤＶＤ閾値より大きくＤＶＤ；ＢＤ閾値以下ならＤＶＤ、ＤＶＤ；ＢＤ閾値より大きいならＢＤである。
【００２６】
ディスク判別部８は、データ取得部５が取得した光学特性データがＣＤ；ＤＶＤ閾値以下の場合に（ステップＳＴ１４“ＹＥＳ”）、現在装填されている光ディスク１１をＣＤと判別し（ステップＳＴ１５）、ＤＶＤ；ＢＤ閾値以下の場合に（ステップＳＴ１６“ＹＥＳ”）、ＤＶＤと判別し（ステップＳＴ１７）、それ以外の場合は（ステップＳＴ１４“ＮＯ”かつステップＳＴ１６“ＮＯ”）、ＢＤと判別する（ステップＳＴ１８）。
【００２７】
これにより、光ディスク１１の種類を判別する際の閾値を、記録または再生される確率の高い種類が選択されやすくなるよう設定することができ、判別の精度を向上することができる。
また、判別結果に基づいて正常起動できなかった場合には（図２のステップＳＴ７“ＮＯ”）、閾値判定で選択しなかったもう一方の種類に変更するとよい（同図のステップＳＴ９）。例えばステップＳＴ１４でＣＤ；ＤＶＤ閾値に基づいてＣＤを選択して正常起動できなかった場合、ステップＳＴ９でＤＶＤに変更すると正常起動できる可能性が高い。
【００２８】
以上より、実施の形態１によれば、光ディスク装置は、光ピックアップ部２が出力する信号を信号測定部３で測定して生成した光ディスク１１の光学特性データを取得するデータ取得部５と、光ディスク１１の種類ごとに再生または記録動作が正常に行われた回数を動作回数として数える動作履歴管理部６と、異なる種類の光ディスク１１が取り得る光学特性データの一部が互いに重複する重複部に、動作履歴管理部６が数えた当該異なる種類の光ディスク１１の動作回数の比率に応じて重み付けした値を閾値として設定する閾値設定部７と、データ取得部５が取得した光ディスク１１の光学特性データを閾値設定部７が設定した閾値と比較して光ディスク１１の種類を判別するディスク判別部８とを備える構成にした。このため、光ディスク１１の光学特性データが判別を間違いやすい重複部にある場合でも、判別精度を向上させた光ディスク装置を提供することができる。
【００２９】
実施の形態２．
図７は、本実施の形態２に係る光ディスク装置の構成を示すブロック図である。図７において図１と同一または相当の部分については同一の符号を付し説明を省略する。図７に示す光ディスク装置では、光ディスク１１の種類を判別するための閾値が予めディスク判別部８ａに設定されるので、図１の閾値設定部７が不要となる。
【００３０】
以下、図８のフローチャートを参照しながら、本実施の形態２に係る光ディスク装置のディスク判別処理を説明する。なお、図８のフローチャートは、図２のステップＳＴ１に相当する。
先ずデータ取得部５が、現在装填されている光ディスク１１の光学特性データを信号測定部３から取得してディスク判別部８ａへ出力すると共に（ステップＳＴ２１）、動作履歴管理部６が不揮発メモリ１０から動作履歴情報を取得してディスク判別部８ａへ出力する（ステップＳＴ２２）。
【００３１】
ここで、図９の表および図１０のグラフに、光ディスク１１の種類と光学特性データの関係の一例を示す。
ＣＤ、ＤＶＤ、ＢＤの光学特性データが取り得る値は図４の表に示したとおりであるが、図９および図１０に示すように、ＣＤとＤＶＤの光学特性データが８０〜１２０の間で、ＤＶＤとＢＤの光学特性データが１８０〜２２０の間でそれぞれ重複しているため、判別を間違いやすい重複部のみ動作履歴情報を使用して光ディスク１１の種類を判別する。
【００３２】
つまり、ディスク判別部８ａは、ＣＤとＤＶＤの光学特性データ重複部の下限値８０をＣＤ閾値として用い、ＣＤ閾値以下の光学特性データの光ディスク１１を（ステップＳＴ２３“ＹＥＳ”）、ＣＤとして判別する（ステップＳＴ２４）。
【００３３】
また、ディスク判別部８ａは、ＣＤとＤＶＤの光学特性データ重複部の上限値１２０をＣＤ；ＤＶＤ重複部閾値として用い、ＣＤ；ＤＶＤ重複部閾値以下かつＣＤ閾値より大きい光学特性データの光ディスク１１を（ステップＳＴ２３“ＮＯ”かつステップＳＴ２５“ＹＥＳ”）、ＣＤおよびＤＶＤのうち動作回数の多い方として判別する（ステップＳＴ２６）。図６の動作履歴情報によればＤＶＤよりＣＤの動作回数が多いので（ステップＳＴ２６“ＹＥＳ”）、ＣＤとして判別する（ステップＳＴ２４）。
【００３４】
また、ディスク判別部８ａは、ＤＶＤとＢＤの光学特性データ重複部の下限値１８０をＤＶＤ閾値として用い、ＤＶＤ閾値以下かつＣＤ；ＤＶＤ重複部閾値より大きい光学特性データの光ディスク１１を（ステップＳＴ２５“ＮＯ”かつステップＳＴ２８“ＹＥＳ”）、ＤＶＤとして判別する（ステップＳＴ２７）。
【００３５】
また、ディスク判別部８ａは、ＤＶＤとＢＤの光学特性データ重複部の上限値２２０をＤＶＤ；ＢＤ重複部閾値として用い、ＤＶＤ；ＢＤ重複部閾値以下かつＤＶＤ閾値より大きい光学特性データの光ディスク１１を（ステップＳＴ２８“ＮＯ”かつステップＳＴ２９“ＹＥＳ”）、ＤＶＤおよびＢＤのうち動作回数の多い方として判別する（ステップＳＴ３０）。図６の動作履歴情報によればＤＶＤよりＢＤの動作回数が多いので（ステップＳＴ３０“ＮＯ”）、ＢＤとして判別する（ステップＳＴ３１）。
【００３６】
また、ディスク判別部８ａは、ＤＶＤ；ＢＤ重複部閾値より大きい光学特性データの光ディスク１１を（ステップＳＴ２９“ＮＯ”）、ＢＤとして判別する（ステップＳＴ３１）。
【００３７】
これにより、現在装填されている光ディスク１１の光学特性データが、判別を間違いやすい光学特性データ重複部にある場合に、判別の精度を向上することができる。
また、判別結果に基づいて正常起動できなかった場合には（図２のステップＳＴ７“ＮＯ”）、判別を間違いやすいもう一方の種類に変更するとよい（同図のステップＳＴ９）。例えばステップＳＴ２６でＤＶＤより動作回数が多いＣＤを選択して正常起動できなかった場合、ステップＳＴ９でＤＶＤに変更すると正常起動できる可能性が高い。
【００３８】
以上より、実施の形態２によれば、光ディスク装置は、光ピックアップ部２が出力する信号を信号測定部３で測定して生成した光ディスク１１の光学特性データを取得するデータ取得部５と、光ディスク１１の種類ごとに再生または記録動作が正常に行われた回数を動作回数として数える動作履歴管理部６と、データ取得部５が取得した光ディスク１１の光学特性データに基づいて種類を判別する際、異なる種類の光ディスク１１が取り得る光学特性データの一部が互いに重複する重複部に光ディスク１１の光学特性データが該当する場合に、動作履歴管理部６が数えた当該異なる種類の光ディスク１１のうちの動作回数の多い方の種類として判別するディスク判別部８ａとを備える構成にした。このため、光ディスク１１の光学特性データが判別を間違いやすい重複部にある場合でも、判別精度を向上させた光ディスク装置を提供することができる。
【００３９】
なお、上記実施の形態１，２では、動作履歴管理部６が、再生または記録動作が正常に行われた回数を動作回数として数える構成にしたが、これに加えて、光ディスク１１の光学特性データが重複部に該当する場合に動作回数を１回数える構成にしてもよい。
その場合、図９に示したような光学特性データ重複部の情報を予め動作履歴管理部６に設定しておき、図２のステップＳＴ８において動作履歴管理部６が、データ取得部５の取得した光学特性データと光学特性データ重複部の情報とを比較して動作回数を更新するか否かを判定する。
これにより、ディスク判別部８，８ａにおいて、判別を間違いやすい光ディスク１１の正常な動作回数に基づいてディスク判別処理を行うことができるようになり、判別精度をさらに向上することができる。
【００４０】
上記以外にも、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４１】
１  スピンドルモータ、２  光ピックアップ部、３  信号測定部、４  サーボ制御部、
５  データ取得部、６  動作履歴管理部、７  閾値設定部、８，８ａ  ディスク判別部、９  ＣＰＵ、１０  不揮発メモリ、１１  光ディスク。
【図１】
0006041773.tif 000002
【図２】
0006041773.tif 000003
【図３】
0006041773.tif 000004
【図４】
0006041773.tif 000005
【図５】
0006041773.tif 000006
【図６】
0006041773.tif 000007
【図７】
0006041773.tif 000008
【図８】
0006041773.tif 000009
【図９】
0006041773.tif 000010
【図１０】
0006041773.tif 000011